【手続補正書】
【提出日】平成16年9月28日(2004.9.28)
【手続補正１】
【補正対象書類名】明細書
【補正対象項目名】全文
【補正方法】変更
【補正の内容】
【書類名】  明細書
【発明の名称】  天井埋込型空気調和機
【特許請求の範囲】
【請求項１】  室内機と、室外ファンを備えた室外熱交換器および圧縮機を少なくとも内蔵する室外機とを具備し、上記室内機は、天井板に埋設され、室内ファンを備えた室内熱交換器を内蔵する室内ユニット本体と、この室内ユニット本体の下部に装着されて吸込口および吹出口を天井面に形成する天井パネルと、上限位置にあるときに上記天井パネルの吸込口を連通自在に覆うと共に、内側にフィルターを添設している吸込グリルと、この吸込グリルを上記吸込口に対して昇降させるグリル昇降手段と、このグリル昇降手段を遠隔操作手段からの制御信号に基づき駆動制御する昇降グリル制御手段と、を有する天井埋込型空気調和機において、
室内機の室内ファンの運転を、吸込グリルの天井パネルからの降下時に停止させ、吸込グリルが上昇したときに、再起動させる室内ファン中断モードと、吸込グリルの昇降動作の有無に拘らず室内ファンの運転を継続させる室内ファン継続モードと、を切り換えるファンモード切換手段を設けたことを特徴とする天井埋込型空気調和機。
【請求項２】  前記モード切換手段は、遠隔操作手段からの切換信号により室内ファン中断モードと、室内ファン継続モードとを切り換えることを特徴とする天井埋込型空気調和機。
【請求項３】  室内機は複数台有し、１台の遠隔操作手段により、複数の室内機の各吸込グリルを各々個別に動作させ、あるいは所定数台よりなるグルーフ毎、もしくは全台を同時を動作させるための設定手段を、遠隔操作手段に設けたことを特徴とする請求項１または２記載の天井埋込型空気調和機。
【発明の詳細な説明】
【０００１】
【発明の属する技術分野】
本発明は、天井板に埋設した室内機本体から吸込グリルを昇降させる吸込グリル昇降装置を備えた天井埋込型空気調和機に関する。
【０００２】
【従来の技術】
一般に、この種の天井埋込型空気調和機は高所の天井板に室内機を埋設しているので、この室内機の動作確認やエアーフィルターの清掃ないし交換等のメンテナンス作業を行なう場合には、脚立等を用いて吸込グリルを開け、あるいは取り外す等の高所作業が必要である。
【０００３】
【発明が解決しようとする課題】
しかしながら、このような高所作業では、脚立等が必要であるうえに、脚立等に人が乗った不安定な状態で吸込グリルを開け、あるいは取り外してエアーフィルター等を取り外す等の作業が必要であるので、かかるメンテナンスの作業性が悪いうえに危険性が伴うという課題がある。
【０００４】
本発明はこのような事情を考慮してなされたもので、その目的は、吸込グリルやエアーフィルター等のメンテナンスの作業性と安全性の向上とを共に図ることができる天井埋込型空気調和機を提供することにある。また、他の目的は、吸込グリル昇降手段の多機能化と機能アップとを共に図って、安全性と使い勝手の向上を図った天井埋込型空気調和機を提供することにある。
【０００５】
【課題を解決するための手段】
請求項１の発明は、室内機と、室外ファンを備えた室外熱交換器および圧縮機を少なくとも内蔵する室外機とを具備し、上記室内機は、天井板に埋設され、室内ファンを備えた室内熱交換器を内蔵する室内ユニット本体と、この室内ユニット本体の下部に装着されて吸込口および吹出口を天井面に形成する天井パネルと、上限位置にあるときに上記天井パネルの吸込口を連通自在に覆うと共に、内側にフィルターを添設している吸込グリルと、この吸込グリルを上記吸込口に対して昇降させるグリル昇降手段と、このグリル昇降手段を遠隔操作手段からの制御信号に基づき駆動制御する昇降グリル制御手段と、を有する天井埋込型空気調和機において、室内機の室内ファンの運転を、吸込グリルの天井パネルからの降下時に停止させ、吸込グリルが上昇したときに、再起動させる室内ファン中断モードと、吸込グリルの昇降動作の有無に拘らず室内ファンの運転を継続させる室内ファン継続モードと、を切り換えるファンモード切換手段を設けた天井埋込型空気調和機である。
【０００６】
この発明によれば、リモートコントローラ（以下リモコンという）等の遠隔操作手段からの制御信号により、吸込グリルを高所の天井面の天井パネルから降下させて、床上方の作業容易な高さに停止させることができるので、脚立を用いずに吸込グリルやエアーフィルターの清掃や交換等のメンテナンスを容易に行なうことができる。このために、メンテナンスの作業性と安全性とを向上させることができる。
【０００７】
また、ファンモード切換手段の切換操作により、吸込グリル昇降動作時に室内ファンの運転を制御する室内ファン中断モードと、室内ファンの運転を制御しない室内ファン継続モードとを適宜選択することができる。
【０００８】
したがって、室内ユニット本体を点検整備するときは、室内ファン中断モードにして、点検者の安全を確保でき、室内ユニット本体を点検整備せず、グリルやフィルタを清掃するときには、室内ファン継続モードにして室温変動を少なくして快適性を維持することができる。
【０００９】
【発明の実施の形態】
以下、本発明の実施形態を図１〜図１０に基づいて説明する。なお、これらの図中、同一または相当部分には同一符号を付している。
【００１０】
図２は本発明に係る天井埋込型空気調和機の室内機１の吸込グリル降下時の斜視図、図３は室内機１の制御系の構成図であり、室内機１には後述する冷媒配管を介して室外機を接続している。
【００１１】
図２に示すように室内機１は、図示しない天井板に埋設される室内ユニット本体２と、この室内ユニット本体２の下部に装着される天井パネル３と、この天井パネル３の吸込口４を覆う吸込グリル５とを有する。室内ユニット本体２は、板金製角筒状の筺体内に、図示しない熱交換器や室内ファン６、室内制御器７（図３参照）、グリル昇降ユニット８等を配設している。天井パネル３は、天井板の室内ユニット取付穴を塞ぎ、その中央部には矩形の吸込口４を形成し、その外周４辺にはそれぞれ長方形の吹出開口９を形成している。
【００１２】
吸込グリル５は、天井パネル３の吸込口４に嵌合する形状（矩形）となっており、そのほぼ全面に多数のスリット１０を形成する一方、４本の吊りワイヤー１１，１１，１１，１１を介して昇降自在に支持されている。これらの４本の吊りワイヤー１１，１１，…には樹脂製あるいは金属製のワイヤーの外周にビニールコーティングを施したものやタイヤルコードを使用している。各吊りワイヤー１１は、その下端を吸込グリル５の４隅に設けた図示しない補強部材のフックに接続する一方、各ワイヤー１１の上端部をグリル昇降ユニット８の図示しない各プーリにそれぞれ巻回し、各プーリを図３で示す昇降用モータ１２により駆動して、吸込グリル５をほぼ水平状態で保持した状態で巻き上げ、または下げるようになっている。
【００１３】
図４は図３でも示す受信部である受光部１３の拡大正面図てある。受光部１３は、図３で示す空調（エアコン）運転専用のエアコンリモコン（リモートコントローラ）１４と、吸込グリル５の遠隔操作手段の１つである昇降専用のワイヤレスリモコン１５からの制御信号を受光（受信）する受信部１３ａと、空調運転の運転中に点灯する運転ランプ１３ｂと、除霜運転中に点灯する除霜ランプ１３ｃと、強制運転側に切り換えることにより空調運転専用リモコン１４またはワイヤードリモコン１８に代えて応急的な空調運転を行なうための強制運転スイッチ１３ｄとを有する。
【００１４】
図５は吸込グリル５の内側に着脱自在に装着される室内フィルター１６の斜視図である。
【００１５】
図６は吸込グリル５の昇降専用のリモコン１５の拡大正面図であり、吸込グリル５を降下させる降ボタン１５ａ、同上昇させる昇ボタン１５ｂ、これら昇降を停止させる停止ボタン１５ｃと、これら各押ボタン１５ａ〜１５ｃを押したときに各制御信号を赤外線等で出力する送信部１５ｄとを有する。
【００１６】
図３で示す室内制御器７は、例えばマイクロプロセッサー等からなり、上記受光部１３、吸込グリル５の昇降動作を所要の音声、例えば「吸込グリルが降下（または上昇）します」等の音声、または降下と上昇とで音調等を変えた（例えばピー音の断続音（ピッ，ピッ，ピッ）と連続音（ピー，ピー））音響を出力する音声ないし音機手段であるスピーカー１７、吸込グリル５の昇降専用の遠隔操作手段の他の１つであるワイヤードリモコン１８、室内ファンモータ６を駆動制御するモータドライバ１９、このモータドライバ１９から室内ファンモータ６に給電される電流の大小の変化、またはその給電流の位相制御用パルスの位相の変化を検出する電流検出器２０をそれぞれ電気的に接続している。
【００１７】
また、室内制御器７は、吸込グリル５の内側に配設される空気清浄ユニット２１、吸込グリル５の昇降専用のワイヤレスリモコン１５およびワイヤードリモコン１８に代えて強制的に吸込グリル５を昇降させる強制昇降スイッチ２２、ＥＥＰＲＯＭ２３、室温を検出する室温センサー２４をそれぞれ電気的に接続している。ＥＥＰＲＯＭ２３は、一旦、吸込グリル５を昇降させて、停止させたときに、その降下開始から降下停止までの時間を降下停止位置（高さ）として記憶する書き換え自在の記憶手段である。
【００１８】
上記ワイヤードリモコン１８は配線（ワイヤー）を介して室内制御器７に電気的に接続され、室内機１を取り付ける取付壁に、その下方近傍にて取り付けられる。ワイヤードリモコン１８は昇降専用のワイヤレスリモコン１５と同様に、吸込グリル５の降，昇，停止ボタンを備えた操作部１８ａと、その降，昇，停止ボタンの操作状態を表示する表示部１８ｂと、この操作部１８ａの操作状態を表示部１８ｂに表示するためと共に、これら各操作に対応した制御信号を室内制御器７に与えるための制御をそれぞれ行なう制御部１８ｃとを備えている。
【００１９】
そして、図３に示すように室内制御器７は、グリル昇降ユニット８の昇降グリル制御器２５に双方向でシリアル通信を行なう通信線７ａを介して電気的に接続される。
【００２０】
すなわち、通信線７ａを介して室内制御器７から昇降グリル制御器２５へ、吸込グリル５の運転／停止と、昇／降の制御指令信号を与える一方、その制御指令信号に対応して吸込グリル５が昇／降中である状態信号（グリル入力）と、異常検出信号とを、通信線７ａを介して昇降グリル制御器２５から室内制御器７へ返信するようになっている。
【００２１】
昇降グリル制御器２５は、コード切換スイッチ２６、吸込グリル５を昇降駆動する駆動用モータ１２の回転方向（正，逆回転）や運転ないし停止を制御するモータドライバ２７、障害物センサー２８、室内機動作設定スイッチＡ，Ｂ２９，傾斜センサー３０を電気的に接続している。
【００２２】
上記コード切換スイッチ２６は、図７に示すように、１台の室外機３１に、複数台の室内機１1，１2．１3，…１ｎを各冷媒配管３２により接続したマルチシステムにおいて、１台の昇降用ワイヤレスリモコン１５により、１台の室内機１の吸込グリル５の昇降を個別に制御させる１対１モードと、室内機１の全台のうちの所定数毎にグループ分けした際の１対グループモードと、室内機１の全台の１対全モード等を適宜選択し得るスイッチである。
【００２３】
すなわち、各昇降用ワイヤレスリモコン１５から送信される制御信号中にはコードが含まれており、このコードが一致している昇降グリル制御器２５の吸込グリル５のみの昇降を制御するようになっている。したがって、本来、昇降用ワイヤレスリモコン１５と、昇降グリル制御器２５とは１対１で対応している。しかし、コード切換スイッチ２６を切換操作することにより、１台の昇降用ワイヤレスリモコン１５により、例えば１フロア中の所定箇所の複数台、つまりグループ毎に吸込グリル５の昇降を一斉に制御し、あるいは１フロア全台の吸込グリル５の昇降を一斉に制御するように設定することができる。また、このコード切換スイッチ２６は室内機１側に設けても、昇降用ワイヤレスリモコン１５側のいずれに設けてもよい。
【００２４】
上記モータドライバ２７は、昇降グリル制御器２５からの上／下，停の各指令信号を受けて昇降用モータ１２の回転方向（正／逆転）と駆動の開始ないし停止を制御するものである。
【００２５】
障害物センサー２８は吸込グリル５の内側に配設されて人体等の障害物を検出するものである。この障害物センサー２８により、吸込グリル５の下方所定距離内に、人体等の障害物を検出すると、昇降グリル制御器２５により危険であると判断して、モータドライバ２７を介して昇降用モータ１２の運転を停止させて吸込グリル５の昇降を強制的に停止させるようになっている。
【００２６】
上記室内機動作設定スイッチ２９のＡスイッチは、吸込グリル５の昇降制御中に空調運転を継続するか、または停止するかを切り換えるスイッチである。
【００２７】
また、室内機動作設定スイッチ２９のＢスイッチは、吸込グリル５の昇降制御中に、現在の空調運転を継続する（現在運転中の場合は運転し、停止中のときは停止させる）か、または停止するかを切り換えるスイッチである。
【００２８】
傾斜センサー３０は、吸込グリル５に設置されて、この吸込グリル５が水平状態から所要角度以上傾斜しているか否かを検出するセンサーである。この吸込グリル５の傾斜が検出されると、この検出信号が傾斜センサー３０から昇降グリル制御器２５に与えられ、この昇降グリル制御器２５は吸込グリル５が傾斜していると判断し、昇降用モータ１２により４本の吊りワイヤー１１，…のうち、所要の吊りワイヤー１１の巻上げ量を補正させて、吸込グリル５をほぼ水平状態に修正するようになっている。
【００２９】
図１は上記室内制御器７の制御プログラムのフローチャートであり、図中Ｓ１〜Ｓ２６はフローチャートの各ステップである。
【００３０】
室内制御器７は、その制御プログラムをスタートさせると、まずＳ１で、室内機１の電源投入があるか否か繰り返し判断し、Ｙｅｓ、すなわち電源投入があったときにはＳ２へ進み、初期通信を開始する。
【００３１】
初期通信は、室内制御器７にグリル昇降ユニット８の昇降グリル制御器２５が接続されているか否かの接続確認を行なうために行なわれる通信であり、その接続確認のために、電源投入後１０秒間は各リモコン１４，１５，１８からの制御信号を受け付けない。
【００３２】
そこで、Ｓ３では、室内制御器７がグリル昇降ユニット８に接続されているか否かを判断する。このために、図８（Ａ）に示すように電源投入時、例えば「Ｈ」レベルが３秒間の昇／降のパルスを室内制御器７から昇降グリル制御器２５に与え、この昇降グリル制御器２５から例えば１．５秒以内に、例えば「Ｈ」レベルが０．５秒以上のグリル入力の返信があったときに、Ｓ３で室内制御器７は昇降グリル制御器２５と接続されているものと判断してＳ４へ進み、以後、エアコン用とワイヤードリモコン１４，１５，１８からの制御信号の入力を受け付ける。但し、ワイヤードリモコン１８が室内制御器７に接続されているときは、このワイヤードリモコン１８からの制御信号の入力を優先させて、昇降用ワイヤレスリモコン１５からの制御信号の入力を受け付けないように図示しない選択手段により選択してもよい。
【００３３】
一方、Ｓ３において、図８（Ｂ）に示すように昇／降パルスに対して１．５秒以内にグリル入力の返信がないときは、室内制御器７は昇降グリル制御器２５と接続されていないと判断して、Ｓ５へ進み、以後、空調運転のみ行ない、昇降用ワイヤレスリモコン１４等からの昇降指令信号は受け付けない。
【００３４】
Ｓ４では、さらに、吸込グリル５の昇降時に室内機１の空調運転を継続するか否かを判断するために、室内機動作設定スイッチＡ２９の設定を読み込み、ＮＯ、つまり非継続でないときは、Ｓ６で空調運転を継続させる一方、Ｙｅｓ、つまり非継続が選択されているときはＳ７へ進み、以降、空調運転の継続（Ｓ６側）と非継続（Ｓ７側）とのステップに分岐する。
【００３５】
そして、空調運転非継続側では、まず、Ｓ７で昇降専用リモコン１４から送信され、受光部１３で受信された昇降制御信号のコードが昇降グリル制御器２５のコードと一致するか否か判断する。
【００３６】
つまり、１台のリモコン１４により１台の室内機１の吸込グリル５の昇降を各々個別に制御する１対１のモードか、またＦ１台のリモコン１４により、グループを構成する複数の吸込グリル５を同時に制御する１対グループモードか、あるいは１台のリモコン１４により１フロアーの全ての室内機１の吸込グリル５の昇降を同時に制御する１対全のモードか否かを判断し、ここで一致するときはＳ８へ進む一方、これらコードが一致しないときは、再びＳ３へ戻り、以下のステップを繰り返す。
【００３７】
Ｓ８では昇降専用リモコン１４から降下指令信号を受信したか否か判断し、受信しているときは次のＳ９へ進み、受信していないときはＳ１１へジャンプし、後述する上昇指令信号を受信しているか否か判断する。
【００３８】
Ｓ９では空調運転と空気清浄ユニット２１との運転を共に停止させると共に、図４で示す室内機１の表示部１３、ワイヤードリモコン１８の表示部１８ｂ、昇降専用ワイヤレスリモコン１５の表示部に、例えば「待機中」を表示させる表示指令信号を出力し、Ｓ１０へ進む。
【００３９】
Ｓ１０では、図９で示すように運転／停止指令信号として「Ｈ」レベルの信号、つまり運転指令信号と、昇／降停止指令信号として「Ｌ」レベルの信号、つまり降下指令信号を昇降グリル制御器２５に与える。
【００４０】
これにより、昇降グリル制御器２５はモータドライバ２７に下指令信号を与えて昇降用モータ１２を例えば正転させて吸込グリル５を降下させる。このとき、図９に示すように昇降グリル制御器２５からＨ／Ｌレベルを含む０．５Ｈｚのパルス状のグリル入力信号が運転中信号として返信入力され、吸込グリル５が降下中であることを室内制御器７に知らせる。
【００４１】
そして、Ｓ１１で、受光部１３が上昇指令信号を受信しているか否か判断し、ＮｏのときはＳ１４へジャンプする一方、Ｙｅｓのとき、Ｓ１２で空調運転と空清運転（空気清浄ユニット２１の運転）とを共に停止させる一方、各表示部１３，１８ｂに「待機中」を表示させる表示指令信号を出力し、次のＳ１３へ進む。
【００４２】
Ｓ１３では運転指令信号である「Ｈ」レベルの信号と、上昇指令信号である「Ｈ」レベルの信号とを共に昇降グリル制御器２５に出力し、次のＳ１４へ進む。
【００４３】
Ｓ１４では、昇降グリル制御器２５からの運転中信号であるグリル入力が３秒以上ないか否か判断し、ＮｏのときはＳ１８へジャンプする一方、Ｙｅｓのとき、つまりグリル入力が３秒以上ないとき、吸込グリル５が上限位置に達して室内ユニット本体２の吸込口４に、吸込グリル５が嵌合されて、この吸込口４を閉じた状態、すなわち、グリル閉塞状態に達したものと判断し、次のＳ１６へ進む。
【００４４】
Ｓ１６で、フィルタ積算値をクリアし、「フィルター」信号を解除してから、Ｓ１７で空調運転と空清運転とを共に再開させる一方、今までの各表示部における「待機中」の表示を解除させる。
【００４５】
次のＳ１８では、昇降用リモコン１４、またはワイヤードリモコン１８からの昇降停止指令信号を受信しているか否か判断し、Ｙｅｓ、つまり、その停止指令信号を受信しているときはＳ１９へ進み、ＮｏのときはＳ１９をジャンプしてＳ３へ戻る。
【００４６】
Ｓ１９では「Ｌ」レベルの運転／停止指令信号、つまり停止指令信号を昇降グリル制御器２５に与え、吸込グリル５の上昇動作を停止させる。この後、再びＳ３へ戻り、以下のステップを繰り返す。
【００４７】
一方、上記Ｓ６で吸込グリル５の昇降時に空調運転を継続させる場合には、次のステップＳ２０で昇降ワイヤレスリモコン１４等から降下指令信号を受信しているか否か判断する。このステップＳ２０の「降下指令信号受」からステップＳ２６の「フィルタ積算値クリア」までの各ステップは、上述の空調運転非継続運転側のステップＳ１０の「運転／停止指令「Ｈ」と昇降指令「Ｌ」を出力」から、Ｓ１６の「フィルタ積算値クリア」までと、同様であるので、その詳細は割愛する。但し、空調運転継続運転であるから、非継続側のステップＳ９とＳ１２の「空調・空清制御停止／「待機中」表示指令」の両ステップは除去される。
【００４８】
したがって、この天井埋込型空気調和機は、リモートコントロール（以下リモコンという）等の遠隔操作手段からの制御信号により、吸込グリル５を高所の天井面の天井パネル３から降下させて、床上方の作業容易な高さに停止させることができるので、脚立を用いずに吸込グリル５やエアーフィルターの清掃や交換等のメンテナンスを容易に行なうことができる。このために、メンテナンスの作業性と安全性とを向上させることができる。
【００４９】
また、モード切換手段を優先モードに切り換えることにより、動作方法が異なる遠隔操作手段であるワイヤードリモコン１８またはワイヤレスリモコン１５からの制御信号等のいずれかを優先させて昇降グリル制御器２５に入力させ、吸込グリル５を昇降させるかを設定できる。
【００５０】
さらに、切換手段には昇降グリル制御器２５に全ての制御信号が入力されるのを阻止できるマスキングモードが設けられているので、この昇降グリル制御器２５により駆動制御されるグリル昇降ユニット８が空調運転中、雑音により突然駆動して吸込グリル５を昇降させるような不測の事態が発生するのを未然に防止することができ、安全性を向上させることができる。
【００５１】
また、吸込グリル５の昇降動作は遠隔操作手段であるワイヤレス，ワイヤードリモコン１５，１８や天井パネル３、吸込グリル５等の表示部をユーザーが見ることにより、吸込グリル５の状態を認識することができるので、例えばユーザーの頭上に吸込グリル５が突然降下する等の事態を未然に回避することができ、安全を向上させることができる。さらに、吸込グリル５の昇降動作が音声ないし音響により報知されるので、表示部を見ない場合でも、吸込グリル５の昇降動作を認識することができ、安全性をさらに向上させることができる。
【００５２】
さらに、吸込グリル５が上限位置に達して室内ユニット本体２の吸込口４を覆うと、停止手段により吸込グリル昇降動作表示部の表示が消灯され、または音声報知手段の音声ないし音響の出力が停止されるので、ユーザーは吸込グリル５が上限位置に達したことを認識することができる。
【００５３】
さらにまた、天井埋込型空気調和機の使用環境によっては、吸込グリル昇降動作表示部の表示や音声出力の出力が不必要ないし望まない場合がある。この場合は選択手段により吸込グリル昇降動作表示部の表示や音声出力を禁止させることができる。
【００５４】
また、ワイヤレスリモコン１５とワイヤードリモコン１８の少なくとも一方に設けた降下停止位置設定手段により、吸込グリル５の降下を停止させる位置、すなわち高さをメンテナンスがし易い高さ等、任意の高さに適宜することができる。
【００５５】
さらに、一旦、吸込グリル５を降下させると、その停止位置が自動的に記憶され、しかも、次回の吸込グリル５の降下時には、前回記憶された降下停止位置にて自動的に停止される。したがって、吸込グリル降下停止位置を設定せずに、自動的に所要の高さまで吸込グリルを降下させることができる。
【００５６】
さらにまた、一旦吸込グリル５の降下停止位置を自動的に記憶させて設定させた場合でも、その自動記憶後、さらに吸込グリル５を降下させた場合には、その自動的に記憶された降下停止位置の記憶を記憶消去手段により自動的に消去することができるので、ユーザーの要求の変化に応じて吸込グリルの降下停止位置を適宜更新することができる。
【００５７】
また、吸込グリル５に空気清浄ユニット２１を設けたので、この吸込グリル５を床上の所要の高さまで降下させて停止させることにより、空気清浄ユニット２１のメンテナンスについても、フィルターのメンテナンスと同様に作業性を向上させることができる。
【００５８】
さらに、吸込グリル５の昇降動作時には、高電圧部を備えた空気清浄ユニット２１の運転を停止させるので、その高電圧部にユーザーが感電する等の危険性を回避することができる。このために、安全性を向上させることができる。
【００５９】
さらにまた、ファンモード切換手段または遠隔操作手段の切換操作により、吸込グリル昇降動作時に室内ファン６の運転を中断する室内ファン中断モードと、室内ファンの運転を継続させる室内ファン継続モードとを適宜選択することができる。
【００６０】
また、室内ファン中断モードに切換後は、吸込グリル５の昇降動作の開始により直ちに室内ファン６の運転を停止させずに、所定時間経過後、初めて室内ファン６の運転を停止させる。
【００６１】
すなわち、室内ファン中断モードに切換後、吸込グリル５を誤って昇降させる操作を行った場合でも、その誤りに直ちに気が付いて所定時間内に、その操作を停止させ、あるいは吸込グリル５を上限位置に戻した場合には、室内ファン６の運転を停止させずに空調運転を継続させることができる。
【００６２】
さらに、室内ファン６の運転を停止させた時には、室外機の室外ファンや圧縮機等の運転を停止させて空調運転を停止させることもできる。
【００６３】
さらにまた、吸込グリル５の降下が、ＥＥＰＲＯＭ２１に記憶された降下停止位置に達したときには、室内フィルターのメンテナンス等を行なうので、空調運転を停止させてもよい場合がある。そこでこの場合は室内ファン、室外ファンおよび圧縮機の運転が停止され、空調運転を停止させることができる。
【００６４】
また、オプション等により昇降グリル制御器２５を室内ユニット本体２内の装着スペースに着脱自在に後付けすることができる。また、着脱自在の昇降グリル制御器２５のみを室内ユニット本体２から取り外して、メンテナンスすることができる。
【００６５】
さらに、吸込グリル５の昇降運転を禁止する不許可モードを選択手段により選択することにより、いたずらや雑音等による吸込グリル５の昇降動作を未然に防止することができる。
【００６６】
さらにまた、吸込グリル５がユーザーの頭上に降下する場合には、そのユーザーの存在を、吸込グリル５に配設された人体センサー等の障害物センサー２８が検出し、吸込グリル５の降下を停止させるので、吸込グリル５がユーザーの頭上等に急降下して怪我をさせる等の危険性を回避することができる。
【００６７】
また、万一、遠隔操作手段やその制御信号を受信する受信部、昇降グリル制御器２５が故障した場合でも、強制昇降スイッチ２１の強制手段により吸込グリル５を応急的に昇降させることができる。
【００６８】
さらに、単に吸込グリル５を降下させ、停止させることにより、その降下停止時間が自動的に記憶されるので、その降下停止時間を別途設定することなく、次回以降、吸込グリル５の降下は、記憶された降下停止時間経過時に自動的に停止させることができる。
【００６９】
さらにまた、記憶手段であるＥＥＰＲＯＭ２１は書換え可能であるので、このＥＥＰＲＯＭ２１に記憶されている情報を必要に応じて常に更新することができる。
【００７０】
また、吸込グリル５の昇降用モータ１２の負荷電流は負荷の増大に伴って増大するので、吸込グリル５が昇り切って上限位置や、降り切って下限位置に達すると、負荷が増大して負荷電流が増大する。
【００７１】
したがって、この負荷電流の増大をモータ電流検出装置により検出することにより、吸込グリルの昇り切りや降り切りを検出することができる。
【００７２】
さらに、室内フィルターが目詰りを発生させると、この室内フィルターに送風している室内ファン６の負荷が増大して室内ファン６への給電の位相制御用出力パルスの位相が変化するので、この給電パルスの位相へ変化を検出することにより室内フィルターの目詰りが検出されると、その目詰りが表示部に表示され、または音声により報知される。
【００７３】
さらにまた、吸込グリル５が傾斜すると、この傾斜が傾斜センサー３０により検出され、吸込グリル５の吊りワイヤー１１の巻上げ量が補正されて、その傾斜が修正されて、水平に保持される。このために、吸込グリル５を上限位置まで巻き上げたときに、吸込口４に吻合させることができる。
【００７４】
また、遠隔操作手段であるワイヤレス，ワイヤードリモコン１５，１８から出力される制御信号のコードが昇降グリル制御器２５のコードと一致するときのみ昇降グリル制御器２５を介して吸込グリル５を昇降させることができる。したがって、雑音により吸込グリル５が突然昇降するのを防止することができ、安全性を向上させることができる。
【００７５】
さらに、室内機１が複数台有するマルチシステムにおいて、遠隔操作手段のコードを、昇降グリル制御器２５に設けたコード切換手段により適宜切り換えることにより、１台のワイヤレスリモコン１５またはワイヤードリモコン１８により、コードが一致する昇降グリル制御器２５の吸込グリルを個別に、または所定数のグループ毎に、あるいは全台を同時に一斉に昇降させることができる。
【００７６】
さらにまた、コード切換手段に対応する設定手段を、室内ユニット本体２内の昇降グリル制御器２５ではなく、ワイヤレスリモコン１５またはワイヤードリモコン１８に設けたので、この設定手段を容易に操作することができる。
【００７７】
【発明の効果】
以上説明したようにこの発明によれば、ファンモード切換手段または遠隔操作手段の切換操作により、吸込グリル昇降動作時に室内ファンの運転を制御する室内ファン中断モードと、室内ファンの運転を制御しない室内ファン継続モードとを適宜選択することができる。
【００７８】
したがって、室内ユニット本体を点検整備するときは、室内ファン中断モードにして、点検者の安全を確保でき、室内ユニット本体を点検整備せず、グリルやフィルタを清掃するときには、室内ファン継続モードにして室温変動を少なくして快適性を維持することができる。
【図面の簡単な説明】
【図１】
本発明の一実施形態に係る天井埋込型空気調和機の室内制御器の制御プログラムのフローチャート。
【図２】
本発明の一実施形態に係る天井埋込型空気調和機の室内機の吸込グリルの降下時の斜視図。
【図３】
図２で示す室内機の制御系のブロック図。
【図４】
図２で示す室内機の受光部の拡大正面図。
【図５】
図２で示す室内機の室内フィルターの斜視図。
【図６】
図３で示す昇降用ワイヤレスリモコンの拡大正面図。
【図７】
図２で示す室内機を複数台具備したマルチシステムの全体構成図。
【図８】
（Ａ）は図１で示すフローチャートの初期通信開始ステップ時に、室内制御器と昇降グリル制御器との接続を判定する際に、これら室内制御器と昇降グリル制御器とで授受される各パルスのタイミングチャート、（Ｂ）は同室内制御器と昇降グリル制御手段との非接続判定時に、これら両者間で授受される各パルスのタイミングチャート。
【図９】
図１で示すフローチャートにおける吸込グリルの初期降下時の室内制御器と昇降グリル制御器とで授受されるパルスのタイミングチャート。
【図１０】
図１で示すフローチャートにおける吸込グリルの昇降およびその停止時に、室内制御器と昇降グリル制御器とで授受されるパルスのタイミングチャート。
【符号の説明】
１，１1〜１ｎ  室内機
２  室内ユニット本体
３  天井パネル
４  吸込口
５  吸込グリル
６  室内ファン
７  室内制御器
８  グリル昇降ユニット
９  吹出口
１１  吊りワイヤー
１２  昇降用モータ
１４  エアコン用ワイヤレスリモコン
１５  昇降用ワイヤレスリモコン
１７  スピーカー
１８  ワイヤードリモコン
２０  電流検出器
２１  空気清浄ユニット
２２  強制昇降スイッチ
２５  昇降グリル制御器
２６  コード切換スイッチ
２８  障害物センサー
２９  室内機動作設定スイッチＡ，Ｂ
３０  傾斜センサー